(57)【特許請求の範囲】
【請求項１】
釣竿本体の穂先装着部に装着される穂先であって、
釣竿本体の穂先装着部に挿入固定される挿入部から先端部にかけて平行に配設された２本の穂先構成部材と、
穂先構成部材の間に形成されたガイド間隙に穂先の上・下面から露出しないように又はあまり露出しないように配設されたガイドリングとで構成された事を特徴とする穂先。
【請求項２】
釣竿本体の穂先装着部に装着される穂先であって、
釣竿本体の穂先装着部に挿入固定される挿入部から先端部にかけて一方の面から他方の面に連通するガイド間隙が形成されており、
前記ガイド間隙内には、穂先の上・下面から露出しないように又はあまり露出しないようにガイドリングが取着されている事を特徴とする穂先。
【請求項３】
釣竿本体の穂先装着部に装着される穂先であって、
穂先装着部に挿入される穂先の挿入部には、穂先装着部に穿設されている糸ガイド孔と連通する糸ガイド孔が穿設されていることを特徴とする請求項１又は２に記載された穂先。
【請求項４】
穂先本体の長手方向に対して直交する縦断面において、その横幅がその縦厚さより大となるように形成された事を特徴とする請求項１〜３のいずれか一項に記載の穂先。
【発明の詳細な説明】
【０００１】
【産業上の利用分野】
本発明は外ガイドタイプの釣竿の長所と中通し竿の長所とを合わせ持つような釣竿の『穂先』の改良に関する。
【０００２】
【従来の技術】
図６は従来の外ガイドの釣竿(B1')の正面図で、釣竿(B1')は元竿(1')、２番(2')、中間部分(3')及び穂先(4')並びに釣竿(B1')の下面に所定の間隔で取り付けられた糸ガイド(6')とで構成されている。釣竿(B1')の元竿(1')にはリール(10')が取り付けられており、リール(10')から導出された釣糸(5')が、釣竿(B1')の外側にて糸ガイド(6')を通って穂先(4')の先端から導出されている。釣竿(B1')は先端に行くほど細くしなやかになっており、魚が釣れて釣糸(5')に張力がかかると釣竿(B1')の先端部分の穂先(4')が大きく撓むようになる。
【０００３】
又、釣竿(B1')をふるって遠投するような場合、釣竿(B1')全体が大きくしなやかに撓み、重りの付いた釣り針（図示せず)を遠くへ飛ばす事ができる。このように釣竿(B1')は高い弾力性が要求されるため、弾力性に富む素材、例えばカーボンファイバーやグラスファイバー等で形成されている。
【０００４】
さて、図６のリール(10')はスピニングリールであるが、スピニングリール(10')から引き出された釣糸(5')にはスピニングリール(10')が一回転する度に一回づつ『撚り』が発生する。それ故、釣糸(5')の巻き取りと遠投とを繰り返すと次第に釣糸(5')に『撚り』が蓄積し、釣竿(B1')の先端、特に穂先(4')に絡み付き易くなる。又、前述のように釣竿(B1')の先端部分の穂先(4')は非常に細く、しなやかなために釣竿(B1')を振るとその先端部が非規則的に且つ大きく撥ね、撚りの蓄積した釣糸(5')が絡み付き易いという性質をもっている。
【０００５】
そして図６から分かるように穂先(4')の適所には糸ガイド(6')が突設されている為に、釣糸(5')が穂先(4')に巻き付くと、更に糸ガイド(6')に引っ掛かり外れなくなる。一度釣糸(5')が穂先(4')に絡まると釣りを中断して釣竿(B1')を地面に置き、穂先(4')の先端部分や糸ガイト(6')に絡み付いた釣糸(5')を手で丹念に解きほぐし、釣糸(5')の『撚り』を修正してリール(10')にて釣糸(5')を巻き取り、然る後、釣りを再開しなければならないという非常に手間な問題があった。絡まり具合があまりにも複雑な場合には途中で切断して廃棄せざるを得ない場合もあった。
【０００６】
又、遠投時に釣糸(5')が穂先(4')の先端部分の糸ガイド(6')に絡まると釣糸(5')の先端に取り付けてある重り（図示せず)の力により絡まった部分に衝撃的な張力がかかり、その部分から切断して釣糸(5')の先端部分がそのまま飛び去って海中又は水中に没してしまうというような問題点もある。
【０００７】
このように糸ガイド(6')を使用する外ガイド方式の釣竿(B1')では、糸ガイド(6')が釣竿(B1')の表面側から突設しているために一旦釣糸(5')が釣竿(B1')の先端部分に絡まると、糸ガイド(6')が邪魔になって取り外す事が出来ないという問題がある。特に釣糸(5')が釣竿(B')に絡まるのは穂先(4')の先端部分がほとんどであり、この部分において糸ガイド(6')が突出していることが釣糸(5')の釣竿(B1')への絡まり発生の点において致命的な問題点であった。
【０００８】
そこで図７のような中通し竿(B2')が提案されたが、中通し竿(B2')の場合、釣竿(B2')の中を釣糸(5')が通るために釣竿(B2')の内周面と釣糸(5')との接触面積が大きくなって、遠投時にその接触抵抗によって飛距離が落ち、糸ガイド(6')を使用する外ガイドタイプの釣竿(B1')に比べて遠投が困難であるという欠点がある。従って、中通し竿(B2')は遠投を必要としない例えば船釣り等にその用途が限定されるという問題があるし、その他、中通し竿(B2')の場合、竿の中を水分（海釣りの場合は海水）が付着した釣糸(5')が通過するので、竿内部が汚れやすいにも拘わらず（海水の場合は塩の硬い鋭利な角を持つ結晶が析出して通過している釣糸(5')を傷つける。）、洗浄する事が出来ないという保守管理上の問題もあった。
【０００９】
又、従来の穂先(4')は図６のように円形断面の１本ものであったため、例えば風が強い場合などは横風を受けると穂先(4')は大きな風圧を受け、穂先(4')が左右に振動して魚信か、単なる風による振動なのかの識別がつきにくく強い風の日には微妙な当たりを取り難いという欠点もあった。
【００１０】
【発明が解決しようとする課題】
本発明の解決課題は、中通し竿のように釣糸が穂先に絡まりにくく且つ絡まったとしても外しやすく更に外ガイドダイプの釣竿のように遠投性に優れ、しかも洗浄し易く管理性にも優れ、加えて魚信もとりやすい釣竿の穂先を提供するにある。
【００１１】
【課題を解決するための手段】
本発明の《請求項１》に記載の釣竿(A)の穂先(4)は『釣竿本体(a)の穂先装着部(3a)に装着される穂先(4)であって、釣竿本体(a)の穂先装着部(3a)に挿入固定される挿入部(41)にかけて平行に配設された２本の穂先構成挿材(4a)と、穂先構成挿材(4a)の間に形成されたガイド間隙(44)に穂先(4)の上・下面から露出しないように又はあまり露出しないように配設されたガイドリング(6b)とで構成された』事を特徴とし、《請求項２》は、《請求項１》の他の例で『釣竿本体(a)の穂先装着部(3a)に挿入固定される挿入部(41)から先端部にかけて一方の面から他方の面に連通するガイド間隙(44)が形成されており、前記ガイド間隙(44)内には、穂先(4)の上・下面から露出しないように又はあまり露出しないようにガイドリング(6b)が取着されている』事を特徴とするものであり、いずれの場合もガイド間隙(44)が穂先(4)の基部から先端にかけて形成されている。
【００１２】
これによれば、釣糸(5)に『撚り』が発生して穂先(4)部分に絡みついたとしても、穂先(4)には外ガイド方式の釣竿(B1')のように糸ガイド(6')が突出しておらず（又は、殆ど突出しておらず）、単に穂先(4)の外周に巻き付くだけであるから釣竿(A)を回転させたり釣糸(5)を穂先(4)の先端側に引っ張るだけで釣糸(5)は簡単に穂先(4)から外れる事になる。
【００１３】
更に、ガイド間隙(44)が下面側に開口しているので、釣糸(5)の巻き取り時に釣糸(5)に付着していた水分は直ぐさま下面開口から流出して内部に溜まらないし、水を掛ければガイド間隙(44)の洗浄が簡単に行え、従来の中通し竿(B2')のような洗浄困難というような問題点を生じない。その他、釣糸(5)は従来の外ガイドタイプの釣竿(B1')と同様に糸ガイト(6)にてガイドされるだけであるから中通し竿(B2')のように管抵抗が大きくなく、遠投も十分行うことが出来るものである。
【００１４】
なお、本発明の穂先(4)は継ぎ竿のみならず、挿入部(41)を釣竿本体(a)と一体化することにより一本ものの釣竿にも適用する事ができる。また、穂先(4)を構成する穂先構成棒材(4a)は後述するようにカーボンファイバシートやグラスファイバーシートの積層体であってもよいし、積層体でなく全体が均質な１本ものでもよい。
【００１５】
《請求項３》は『釣竿本体(a)の穂先装着部(3a)に装着される穂先(4)であって、穂先装着部(3a)に挿入される穂先(4)の挿入部(41)には、穂先装着部(3a)に穿設されている糸ガイド孔(7)と連通する糸ガイド孔(7)が穿設されている』事を特徴とする。
【００１６】
これによれば接続部(9)は、釣竿本体(a)の穂先装着部(3a)と穂先(4)の挿入部(41)の２重構造となっているので、たとえ糸ガイド孔(7)をこの部分に穿設しても強度的に問題になる事がないし、釣糸(5)をガイド間隙(44)内に導入しやすいものである。
【００１７】
また、《請求項４》の釣竿(A)の穂先(4)は『穂先本体(4b)の長手方向に対して直交する縦断面において、その横幅(s)がその縦高さ(t)より大となるように形成された』事を特徴とするもので、これにより穂先(4)の曲げ強度が横幅(s)方向より縦厚さ(t)方向の方が小さくなり、横幅(s)方向へは撓みにくく縦厚さ(t)方向には撓みやすくなってその結果横風を受けたとしても横方向への振れは小さくあるいはほとんどなく、逆に魚信に対しては敏感に縦方向に撓んで反応する事になり、風の強い日でも穂先(4)が左右に揺れず、微妙な魚信を取り易い。
【００１８】
【実施例】
以下、本発明を図示実施例に従って説明する。図１は本発明に係る釣竿(A)の第１実施例(A1)の正面図であり、第２図は第２実施例(A2)の正面図である。第１実施例の釣竿(A1)は下側にリール(10)を取り付けるタイプのもので、元竿(1)、２番(2)、中間部分(3)『ここには３番以下、穂持ちまでが含まれる。』、穂先(4)及び３種類の糸ガイド(6)(6a)(6b)とで構成されており、一の糸ガイド(6)は２番(2)の先端部及び中間部分(3)の構成部材の各先端部等必要な場所にそれぞれ外方に突出するように取り付けられており、これに対して２の糸ガイド(6b)は穂先(4)の上・下面から露出しないように又はあまり露出（最大でもガイド(6)のリング部分の直径の１／４以上が突出）しないように後述するガイド間隙(44)内に取り付けられている。この点は第２実施例(A2)（図２参照）の場合も同様で、外ガイド用の糸ガイド(6)は２番(2)及び中間部分(3)の先端部の上面に取り付けられ、穂先(4)のガイド間隙(44)内にガイド(6b)が取り付けられている。
【００１９】
図１は、外ガイド(6)が釣竿本体(a)の下面側に装着された例であり、図２の場合は外ガイド(6)が釣竿本体(a)の背に装着された場合で、いずれの場合でも穂先(4)のガイド間隙(44)に釣糸(5)を導かねばならないので、中間部分(3)の穂先装着部(3a)及び穂先(4)の挿入部(41)に糸ガイド孔(7)が斜めに穿設されている（図５(a)参照）。《図５(b)のように糸ガイド孔(7)を設ける事なく釣糸(5)を直接ガイド間隙(44)に導入する事も勿論可能である。》そして、この糸ガイド孔(7)を通って下側に導出されている釣糸(5)は穂先(4)の挿入部(41)から穂先(4)の中心軸に沿って形成されたガイド間隙(44)を通って穂先(4)の先端に至り、先端ガイド部(6a)から引き出されるようになっている。
【００２０】
本発明の特徴部分は穂先(4)の部分で、図３〜５(a)(b)に示すように穂先(4)は２本の穂先構成棒材(4a)、前記糸ガイド(6b)、挿入部(41)、先端ガイド部(6a)及び先端ガイド部(6a)と前記穂先構成棒材(4a)とを接続するガイド取付部(61)並びに補強リング(6c)とで構成されている。そしてこのガイド間隙(44)内の適所にリング状の糸ガイド(6b)が嵌め込まれ一体的に固着されている。
【００２１】
第１実施例の釣竿(A1)のようにリール(10)が元竿(1)の下面側に取り付けられている場合には、リール(10)から導出された釣糸(5)は外ガイドタイプの糸ガイド(6)を通り、続いて糸ガイド孔(7)、糸ガイド(6b)を通って穂先(4)の先端部の先端ガイド部(6a)から引き出される。穂先(4)は先端に行くほど次第に細くなっており、且つその長手方向に直交する断面の横幅(s)が縦厚さ(t)より大となるように組み立てられている。
【００２２】
穂先(4)はガイド間隙(44)が形成されている穂先本体(4b)と断面円形の挿入部(41)とで構成されており、挿入部(41)が中間部分(3)の先端部分の穂先装着部(3a)に挿入されて接続されるようになっている。
挿入部(41)の穂先装着部(3a)への接続は並継ぎ、平継ぎ、印籠継ぎ等各種の継ぎ方があるが、別段どの形式をとっても構わない。
【００２３】
本実施例の穂先構成棒材(4a)は図３からわかるように断面矩形としたが、勿論これに限られず、断面が円形、楕円、長円その他各種異形断面形状を採用できることはいうまでもない。
尚、穂先本体(4b)の断面は穂先本体(4b)の全長においてその断面の横幅(s)が縦厚み(t)よりも常時大きいので、縦厚み(t)方向には曲がり易いが、横幅(s)方向には曲がりにくい構造となり、横風を受けても側方に振動する事がなく強い風の中でも穂先(4)が静止状態を保ち、上下方向には曲がりやすくて魚信を鋭敏に取る事が出来る。
【００２４】
又、穂先(4)の主要部は２本並設の穂先構成棒材(4a)で構成されていてそのガイド間隙(44)に糸ガイド(6b)が所定間隔で取着され、更にその周囲に必要に応じて補強部材(8)（例えば補強糸）を巻着しているので、『耐ねじり性』も十分であり、例えば釣れた魚が釣竿(A)に対して横方向に移動して穂先(4)にねじり力が加わっても穂先(4)がねじられてしまうような事がない。
【００２５】
次に、穂先構成棒材(4a)の構造について説明すると、図３に示すように穂先構成棒材(4a)の中層をカーボンファイバーシートの積層体(4a2)で形成し、この積層体(4a2)の上下をグラスファイバー層(4a1)でサンドイッチしている。勿論、グラスファイバー又はカーボンファイバーの積層体のみで構成してもよいということは言うまでもない。
【００２６】
次に、穂先(4)の先端の先端ガイド部(6a)について説明する。先端ガイド部(6a)は、ガイド間隙(44)に開口するガイド孔(6a1)を有するリング部(6a2)と、リング部(6a2)の背面から突設された二股状のガイド取付部(61)とで構成されており、ガイド取付部(61)と穂先構成棒材(6a)とが一体的に接続されている。リング部(6a2)の内周は釣糸(5)が摺接するため、耐摩耗性に優れた素材、例えばセラミックスのような硬質部材が嵌め込まれている。また、セラミックスコーティングやハードクロムメッキなどによる強化をおこなってもよい。
【００２７】
ガイド間隙(44)に嵌め込まれる糸ガイド(6b)はリング状のもので、釣糸(5)が接触する部分は前述同様セラミックスコーティングしたりハードクロムメッキを行ったりセラミックス部材を嵌め込んで釣糸(5)との接触による摩耗を出来る限り防止している。
【００２８】
また、図５に示すように、釣竿本体(a)の穂先装着部(3a)と穂先(4)の挿入部(41)にて構成される接続部(9)に、穂先装着部(3a)の上面からガイド間隙(44)に至る傾斜糸ガイド孔(7)が穿設され、この開口出口端にガイドリング(6c)が嵌め込まれているが、このガイドリング(6c)も糸ガイド(6b)と同様セラミックスコーティングやハードクロムメッキ或いはセラミックス部材の取着による強化が図られている。
尚、ガイドリング(6c)に代えてセラミックス製のガイド筒(図示せず)を傾斜糸ガイド孔(7)に挿入してもよい。
【００２９】
次に、以上のように形成された釣竿(A1)もしくは釣竿(A2)を用いて釣りをする場合について説明する。魚釣りにおいて、遠投・巻き取りを繰り返すと前述のように釣糸(5)に次第に『撚り』がかかり、釣糸(5)が穂先(4)の先端部分に絡まり易くなって来る。
この状態において、釣竿(A)を操作しているときに穂先(4)の先端が撥ねると、釣糸(5)が穂先(4)の先端にキリキリと絡まる事がある。この場合たとえ釣糸(5)が穂先(4)の先端部分に絡まったとしても穂先(4)の先端部分には糸ガイド(6)が突出しておらず（又は、殆ど突出しておらず）、単なる一本の細いしなやかな棒状のものにしかすぎないので、外部に突出している従来の糸ガイド(6')のようにこれに絡まってしまうというような事がなく、簡単にほどく事ができるものである。
【００３０】
また、ガイド間隙(44)は上・下面に開口しているため、釣糸(5)をリール(10)に巻き取った際、釣糸(5)に付着した水分（又は海水）は直ちにそのまま滴下して抜けてしまう。それ故、従来の中通し竿(B2')のように竿内部に水分（又は海水）がたまり、竿内部が汚れたりするようなことがない。特に、従来の中通し竿(B2')を使用して海釣りを行った場合には、竿内部に溜まった海水が乾燥して含有塩分が析出し、これが鋭い稜角をもつ結晶となり、竿内部を通過する釣糸(5')に傷をつけるということがあったが、本発明の穂先(4)では海水が溜まらないので、そのような恐れがない。
そして本発明にかかる穂先(4)のガイド間隙(44)は上・下面に開口しているので、上から水をかけてガイド間隙(44)内を簡単に洗浄することができ、保守の面でも非常に簡単である。
【００３１】
【発明の効果】
以上のように本発明の穂先においてはガイド間隙内に嵌め込まれて糸ガイドが外部に露出していないので、釣糸の絡まりを容易に解消する事が出来、またガイド間隙の存在により、中通し竿と同様の効果を持ちながら遠投性にも優れ、しかも洗浄も極めて容易であり、保守が簡単であるという効果がある。
なお、穂先の縦断面において、その横幅がその縦高さより大である場合には、横風を受けた場合でも穂先が振れにくく、縦方向の振れのみとなり、微妙な魚信を強い風の中でも正確に取る事ができる。
【図面の簡単な説明】
【図１】本発明の釣竿の第１実施例の正面図。
【図２】本発明に係る釣竿の第２実施例の正面図。
【図３】第１図の穂先の先端部分の一部切欠拡大斜視図。
【図４】本発明の穂先の先端部分の平断面図。
【図５】(a)＝本発明の穂先部分の縦断面図。(b)＝本発明の穂先部分の他の例の縦断面図。
【図６】従来の外ガイド方式の釣竿における釣糸の絡まり状態を示す正面図。
【図７】従来の中通し竿の正面図。
【符号の説明】
(A)…釣竿
(a)…釣竿本体
(3a)…穂先装着部
(4)…穂先
(41)…挿入部
(44)…ガイド間隙
(4a)…穂先構成部材
(4b)…穂先本体
(6)…糸ガイド
(6b)…ガイドリング
(9)…接続部
【図１】
0003710526.tif 000002
【図２】
0003710526.tif 000003
【図３】
0003710526.tif 000004
【図４】
0003710526.tif 000005
【図５】
0003710526.tif 000006
【図６】
0003710526.tif 000007
【図７】
0003710526.tif 000008